(57)【要約】      （修正有）【課題】インクの目詰まりがなく、速乾性に優れ、紙媒体の変形を引き起こさずに高品質な画像を紙媒体に形成できるインクジェットインクを提供する。【解決手段】顔料と、水性液体と、油性液体と、前記水性液体および前記油性液体に可溶な特定の２価アルコールを含有する。油性液体の少なくとも一部は、下記一般式（ＡＡ）で表わされる芳香族アルコールである。［一般式（ＡＡ）中、Ｒａは炭素数１〜５の脂肪族炭化水素基、Ｒｂは−Ｏ−または−ＣＨ２Ｏ−であり、Ｋは０または１である。］前記２価アルコールとしては、特定のアルキレンジオール（ＤＡ）、（ポリ）エチレングリコール（ＥＯ）、（ポリ）プロピレングリコール（ＰＯ）の群から選択される。2011046944.tif 000017【選択図】なし【特許請求の範囲】
【請求項１】
顔料と、
前記インクジェットインクの１０〜７０ｗｔ％を占める水性液体と、
前記インクジェットインクの７０〜１０ｗｔ％を占め、少なくとも一部が下記一般式（ＡＡ）で表わされる芳香族アルコールである油性液体と、
前記水性液体および前記油性液体に可溶な２価アルコールとを含有し、前記２価アルコールは、下記一般式（ＤＡ）で表わされる化合物、下記一般式（ＥＯ）で表わされる化合物、および下記一般式（ＰＯ）で表わされる化合物からなる群から選択されることを特徴とするインクジェットインク。
【化１】
2011046944.tif 000015
（ここで、Ｒaは炭素数１〜５の脂肪族炭化水素基、Ｒbは−Ｏ−または−ＣＨ2Ｏ−であり、ｋは０または１である）
【化２】
2011046944.tif 000016
（Ｒｃは炭素数３〜６のアルキレン基であり、ｎは１〜１０、ｍは２〜５である。）
【請求項２】
前記水性液体は、前記インクジェットインクの２０〜４０ｗｔ％を占めることを特徴とする請求項１に記載のインクジェットインク。
【請求項３】
前記水性液体の少なくとも４０ｗｔ％は水であることを特徴とする請求項１または２に記載のインクジェットインク。
【請求項４】
前記水性液体は、グリセリン、ジグリセリン、ポリグリセリン、１，２，６−ヘキサントリオール、１，２，４−ブタントリオール、１，２，３−ブタントリオール、３−メチル−１，３，５−ペンタントリオール、ソルビトール、マンニトールおよびマルチトールから選択される少なくとも一種を含むことを特徴とする請求項１乃至３のいずれか１項に記載のインクジェットインク。
【請求項５】
前記油性液体は、前記インクジェットインクの６０〜２０ｗｔ％を占めることを特徴とする請求項１乃至４のいずれか１項に記載のインクジェットインク。
【請求項６】
前記油性液体の少なくとも７０ｗｔ％は、前記芳香族アルコールであることを特徴とする請求項１乃至５のいずれか１項に記載のインクジェットインク。
【請求項７】
前記一般式（ＡＡ）において、前記脂肪族炭化水素基Ｒaは、−ＣＨ2−、−ＣＨ2ＣＨ2−、−ＣＨ2ＣＨ(ＣＨ3)−、および−ＣＨ(ＣＨ3)ＣＨ2−からなる群から選択されることを特徴とする請求項１乃至６のいずれか１項に記載のインクジェットインク。
【請求項８】
前記２価アルコールは、前記インクジェットインクの１０〜５０ｗｔ％を占めることを特徴とする請求項１乃至７のいずれか１項に記載のインクジェットインク。
【請求項９】
前記２価アルコールの少なくとも１０ｗｔ％は、前記一般式（ＥＯ）で表わされる化合物、または前記一般式（ＰＯ）で表わされる化合物であることを特徴とする請求項１乃至８のいずれか１項に記載のインクジェットインク。
【請求項１０】
前記顔料は、前記インクジェットインクの２〜２０ｗｔ％を占めることを特徴とする請求項１乃至９のいずれか１項に記載のインクジェットインク。
【請求項１１】
前記顔料は、１０〜３００ｎｍの平均粒径を有することを特徴とする請求項１乃至１０のいずれか１項に記載のインクジェットインク。
【請求項１２】
前記顔料を分散させる分散剤をさらに含有することを特徴とする請求項１乃至１１のいずれか１項に記載のインクジェットインク。
【請求項１３】
前記分散剤は、界面活性剤、水溶性樹脂、および非水溶性樹脂からなる群から選択されることを特徴とする請求項１２に記載のインクジェットインク。
【請求項１４】
前記顔料は、表面に官能基またはその塩を有することを特徴とする請求項１乃至１１のいずれか１項に記載のインクジェットインク。
【請求項１５】
前記官能基は、カルボニル基、カルボキシル基、ヒドロキシル基、およびスルホン基からなる群から選択されることを特徴とする請求項１４に記載のインクジェットインク。
【請求項１６】
炭素数３以下の１価脂肪族アルコールをさらに含有することを特徴とする請求項１乃至１５のいずれか１項に記載のインクジェットインク。
【請求項１７】
前記インクは、２５℃における粘度が３〜５０ｍＰａ・sであることを特徴とする請求項１乃至１６のいずれか１項に記載のインクジェットインク。
【請求項１８】
紙媒体に少なくとも１種のインク組成物をインクジェットヘッドから噴射して画像を形成する工程を具備し、
前記インク組成物は請求項１乃至１７のいずれか１項に記載のインクジェットインクであることを特徴とするインクジェット記録方法。
【請求項１９】
前記画像の形成は、１種類のインク組成物を用いて行なわれることを特徴とする請求項１８に記載の記録方法。
【請求項２０】
前記画像の形成は、異なる色の２種類以上のインク組成物を用いて行なわれることを特徴とする請求項１８に記載の記録方法。
【発明の詳細な説明】
【技術分野】
【０００１】
ここに記載する実施形態は、一般的にはインクジェットインクに関する。
【背景技術】
【０００２】
近年、顔料を水性媒体に分散させたインクが提案されている。従来の水溶性染料を用いたインクと比較して、顔料を用いたインクは耐水性や耐光性に優れている。
【０００３】
しかしながら、紙媒体への記録に適したインクジェット記録用インクであって、間欠吐出におけるインクの目詰まりがなく、速乾性に優れ、紙媒体の変形を引き起こさずに高品質な画像を紙媒体に形成できる顔料インクは、未だ得られていない。
【先行技術文献】
【特許文献】
【０００４】
【特許文献１】ＵＳＰ５，５３１，８１６
【特許文献２】特開２００６−５６９３１号公報
【発明の概要】
【発明が解決しようとする課題】
【０００５】
本発明は、間欠吐出におけるインクの目詰まりがなく、速乾性に優れ、紙媒体の変形を引き起こさずに高品質な画像を紙媒体に形成できるインクジェットインクを提供することを目的とする。
【課題を解決するための手段】
【０００６】
一般的には、一実施形態によれば、インクジェットインクは，顔料と、水性液体と、油性液体と、前記水性液体および前記油性液体に可溶な２価アルコールとを含有する。水性液体はインクジェットインクの１０〜７０ｗｔ％を占め、油性液体はインクジェットインクの７０〜１０ｗｔ％を占める。油性液体の少なくとも一部は、下記一般式（ＡＡ）で表わされる芳香族アルコールである。
【化１】
2011046944.tif 000002
【０００７】
Ｒaは炭素数１〜５の脂肪族炭化水素基、Ｒbは−Ｏ−または−ＣＨ2Ｏ−であり、ｋは０または１である。
【０００８】
前記２価アルコールは、下記一般式（ＤＡ）で表わされる化合物、下記一般式（ＥＯ）で表わされる化合物、および下記一般式（ＰＯ）で表わされる化合物からなる郡から選択される。
【化２】
2011046944.tif 000003
【０００９】
Ｒｃは炭素数３〜６のアルキレン基であり、ｎは１〜１０、ｍは２〜５である。
【図面の簡単な説明】
【００１０】
【図１】実施の一形態を適用するインクジェット記録装置の一例である。
【発明を実施するための形態】
【００１１】
以下、実施形態を具体的に説明する。
【００１２】
図１に示すインクジェット記録装置においては、用紙カセット１００および１０１は、サイズの異なる用紙Ｐを収容している。供紙ローラ１０２または１０３は、選択された用紙サイズに対応した用紙Ｐを用紙カセット１００または１０１から取り出し、搬送ローラ対１０４、１０５およびレジストローラ対１０６に搬送する。
【００１３】
搬送ベルト１０７は、駆動ローラ１０８と２本の従動ローラ１０９とによって張力が与えられている。搬送ベルト１０７の表面には所定間隔で穴が設けられ、搬送ベルト１０７の内側には用紙Ｐを搬送ベルト１０７に吸着させるため、ファン１１０に連結された負圧チャンバ１１１が設置されている。搬送ベルト１０７の用紙搬送方向下流には、搬送ローラ対１１２、１１３、および１１４が設置されている。
【００１４】
搬送ベルト１０７の上方には、画像データに応じてインクを用紙に吐出するインクジェットヘッドが４列配列されている。上流から、シアン（Ｃ）インクを吐出するインクジェットヘッド１１５Ｃ、マゼンタ（Ｍ）インクを吐出するインクジェットヘッド１１５Ｍ、イエロー（Ｙ）インクを吐出するインクジェットヘッド１１５Ｙ、ブラック（Ｂｋ）インクを吐出するインクジェットヘッド１１５Ｂｋの順である。さらに、インクジェットヘッド１１５Ｃ、１１５Ｍ、１１５Ｙ、および１１５Ｂｋには、対応したインクが収容されているシアン（Ｃ）インクカートリッジ１１６Ｃ、マゼンタ（Ｍ）インクカートリッジ１１６Ｍ、イエロー（Ｙ）インクカートリッジ１１６Ｙ、ブラック（Ｂｋ）インクカートリッジ１１６Ｂｋが設けられている。カートリッジは、それぞれチューブ１１７Ｃ、１１７Ｍ、１１７Ｙ、１１７Ｂｋによって、インクジェットヘッドに連結されている。
【００１５】
こうした構成のインクジェット記録装置の画像形成動作について述べる。
【００１６】
まず、画像処理手段（図示しない）により記録のための画像処理が開始され、記録のための画像データが各インクジェットヘッド１１５Ｃ、１１５Ｍ、１１５Ｙ、１１５Ｂｋに転送される。また、用紙カセット１００または１０１から給紙ローラ１０２または１０３により選択された用紙サイズの用紙Ｐを一枚ずつ取り出し、搬送ローラ対１０４、１０５およびレジストローラ対１０６に搬送する。レジストローラ対１０６は用紙Ｐのスキューを補正し、所定のタイミングで搬送を行なう。
【００１７】
負圧チャンバ１１１は搬送ベルト１０７の穴を介して空気を吸い込んでいるので、用紙Ｐは搬送ベルト１０７に吸着された状態でインクジェットヘッド１１５Ｃ、１１５Ｍ、１１５Ｙ、１１５Ｂｋの下側を搬送される。このことで、インクジェットヘッド１１５Ｃ、１１５Ｍ、１１５Ｙ、１１５Ｂｋと用紙Ｐとは一定の間隔を保つことができる。レジストローラ対１０６から用紙Ｐが搬送されるタイミングに同期させて、各インクジェットヘッド１１５Ｃ、１１５Ｍ、１１５Ｙ、１１５Ｂｋから各色のインクを吐出させる。こうして、用紙Ｐの所望に位置にカラー画像が形成される。画像が形成された用紙Ｐは搬送ローラ対１１２、１１３および１１４によって排紙トレイ１１８に排紙される。
【００１８】
各インクカートリッジには、一実施形態にかかるインクジェットインクが収容される。
【００１９】
本実施形態にかかるインクジェットインクは、水性液体と油性液体と、これらの双方に可溶な特定の２価アルコールと顔料とを含有している。顔料は、特定の２価アルコールが可溶した水性液体と油性液体との混合液中に分散される。
【００２０】
そのような混合液が分散媒として用いられるので、本実施形態にかかるインクジェットインクは、水性インクと油性インクとの両方の特性を有している。すなわち、本実施形態のインクは、速乾性に優れ、紙媒体の変形を抑制しつつ、高品質の画像を紙媒体に形成することができる。しかも、インク中における顔料の分散安定性が優れているので、プリンターヘッドのノズルから安定して吐出することが可能である。
【００２１】
本明細書において、紙媒体とは、一般的には、印刷されることを目的に使用される紙製の媒体をさす。印刷特性を高めるための材料が塗布されたアート紙やコート紙などの塗工用紙と、紙自体の特性を生かした非塗工用紙とに大別される。紙媒体は、本、書籍、新聞、包装、およびプリンター用紙など、種々の用途に用いられる。また、段ボール、紙製の容器、およびボール紙などの厚紙も紙媒体に含まれる。例えば、オフィスや家庭で使用する複写機、プリンターに使用されるコピー用紙のような、いわゆる普通紙は、典型的な紙媒体である。
【００２２】
上述したように一実施形態においては、特定の２価アルコールが可溶することにより水性液体と油性液体とが混合され、この混合液中に顔料が分散される。
【００２３】
顔料は特に限定されず、無機顔料および有機顔料のいずれを用いてもよい。無機顔料としては、例えば酸化チタンおよび酸化鉄が挙げられる。さらに、コンタクト法、ファーネス法、またはサーマル法などの公知の方法によって製造されたカーボンブラックを使用することができる。
【００２４】
有機顔料としては、例えば、アゾ顔料（アゾレーキ顔料、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフタロン顔料など）、染料キレート（例えば、塩基性染料型キレート、酸性染料型キレートなど）、ニトロ顔料、ニトロソ顔料、アニリンブラックなどを使用できる。
【００２５】
ブラックインクとして使用されるカーボンブラックとしては、具体的には、Ｎｏ．２３００，Ｎｏ．９００，ＭＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等（三菱化学製）、Ｒａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等（コロンビア社製）、Ｒｅｇａｌ  ４００Ｒ，Ｒｅｇａｌ  ３３０Ｒ，Ｒｅｇａｌ  ６６０Ｒ，Ｍｏｇｕｌ  Ｌ，Ｍｏｎａｒｃｈ  ７００，Ｍｏｎａｒｃｈ  ８００，Ｍｏｎａｒｃｈ  ８８０，Ｍｏｎａｒｃｈ９００，Ｍｏｎａｒｃｈ  １０００，Ｍｏｎａｒｃｈ  １１００，Ｍｏｎａｒｃｈ  １３００，Ｍｏｎａｒｃｈ  １４００等（キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，  Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，ＰｒｉｎｔｅｘＶ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，およびＳｐｅｃｉａｌ  Ｂｌａｃｋ  ４等（デグッサ社製）などが挙げられる。
【００２６】
イエローインクに使用される顔料としては、具体的には、Ｃ．Ｉ．Ｐｉｇｍｅｎｔ  Ｙｅｌｌｏｗ  １，Ｃ．Ｉ．Ｐｉｇｍｅｎｔ  Ｙｅｌｌｏｗ２，Ｃ．Ｉ．Ｐｉｇｍｅｎｔ  Ｙｅｌｌｏｗ  ３，Ｃ．Ｉ．Ｐｉｇｍｅｎｔ  Ｙｅｌｌｏｗ  １２，Ｃ．Ｉ．Ｐｉｇｍｅｎｔ  Ｙｅｌｌｏｗ  １３，Ｃ．Ｉ．Ｐｉｇｍｅｎｔ  Ｙｅｌｌｏｗ  １４Ｃ，Ｃ．Ｉ．Ｐｉｇｍｅｎｔ  Ｙｅｌｌｏｗ  １６，Ｃ．Ｉ．Ｐｉｇｍｅｎｔ  Ｙｅｌｌｏｗ  １７，Ｃ．Ｉ．Ｐｉｇｍｅｎｔ  Ｙｅｌｌｏｗ  ７３，Ｃ．Ｉ．  Ｐｉｇｍｅｎｔ  Ｙｅｌｌｏｗ  ７４，Ｃ．Ｉ．Ｐｉｇｍｅｎｔ  Ｙｅｌｌｏｗ  ７５，Ｃ．Ｉ．Ｐｉｇｍｅｎｔ  Ｙｅｌｌｏｗ  ８３，Ｃ．Ｉ．Ｐｉｇｍｅｎｔ  Ｙｅｌｌｏｗ９３，Ｃ．Ｉ．Ｐｉｇｍｅｎｔ  Ｙｅｌｌｏｗ９５，Ｃ．Ｉ．Ｐｉｇｍｅｎｔ  Ｙｅｌｌｏｗ９７，Ｃ．Ｉ．Ｐｉｇｍｅｎｔ  Ｙｅｌｌｏｗ  ９８，Ｃ．Ｉ．ＰｉｇｍｅｎｔＹｅｌｌｏｗ  １０９，Ｃ．Ｉ．Ｐｉｇｍｅｎｔ  Ｙｅｌｌｏｗ  １１０，Ｃ．Ｉ．Ｐｉｇｍｅｎｔ  Ｙｅｌｌｏｗ  １１４，Ｃ．Ｉ．Ｐｉｇｍｅｎｔ  Ｙｅｌｌｏｗ  １２８，Ｃ．Ｉ．Ｐｉｇｍｅｎｔ  Ｙｅｌｌｏｗ  １２９，Ｃ．Ｉ．Ｐｉｇｍｅｎｔ  Ｙｅｌｌｏｗ  １３８，Ｃ．Ｉ．Ｐｉｇｍｅｎｔ  Ｙｅｌｌｏｗ  １５０，Ｃ．Ｉ．Ｐｉｇｍｅｎｔ  Ｙｅｌｌｏｗ  １５１，Ｃ．Ｉ．Ｐｉｇｍｅｎｔ  Ｙｅｌｌｏｗ  １５４，Ｃ．Ｉ．Ｐｉｇｍｅｎｔ  Ｙｅｌｌｏｗ  １５５，Ｃ．Ｉ．Ｐｉｇｍｅｎｔ  Ｙｅｌｌｏｗ  １８０，およびＣ．Ｉ．Ｐｉｇｍｅｎｔ  Ｙｅｌｌｏｗ  １８５等が挙げられる。
【００２７】
マゼンタインクに使用される顔料としては、具体的には、Ｃ．Ｉ．Ｐｉｇｍｅｎｔ  Ｒｅｄ  ５，Ｃ．Ｉ．Ｐｉｇｍｅｎｔ  Ｒｅｄ７，Ｃ．Ｉ．Ｐｉｇｍｅｎｔ  Ｒｅｄ  １２，Ｃ．Ｉ．Ｐｉｇｍｅｎｔ  Ｒｅｄ  ４８（Ｃａ），Ｃ．Ｉ．Ｐｉｇｍｅｎｔ  Ｒｅｄ  ４８（Ｍｎ），Ｃ．Ｉ．Ｐｉｇｍｅｎｔ  Ｒｅｄ  ５７（Ｃａ），Ｃ．Ｉ．Ｐｉｇｍｅｎｔ  Ｒｅｄ  ５７：１，Ｃ．Ｉ．Ｐｉｇｍｅｎｔ  Ｒｅｄ  １１２，Ｃ．Ｉ．Ｐｉｇｍｅｎｔ  Ｒｅｄ  １２２，Ｃ．Ｉ．Ｐｉｇｍｅｎｔ  Ｒｅｄ  １２３，Ｃ．Ｉ．Ｐｉｇｍｅｎｔ  Ｒｅｄ  １６８，Ｃ．Ｉ．Ｐｉｇｍｅｎｔ  Ｒｅｄ  １８４，Ｃ．Ｉ．Ｐｉｇｍｅｎｔ  Ｒｅｄ  ２０２，およびＣ．Ｉ．Ｐｉｇｍｅｎｔ  Ｖｉｏｌｅｔ１９等が挙げられる。
【００２８】
シアンインクに使用される顔料としては、具体的には、Ｃ．Ｉ．Ｐｉｇｍｅｎｔ  Ｂｌｕｅ  １，Ｃ．Ｉ．Ｐｉｇｍｅｎｔ  Ｂｌｕｅ  ２，Ｃ．Ｉ．  Ｐｉｇｍｅｎｔ  Ｂｌｕｅ  ３，Ｃ．Ｉ．Ｐｉｇｍｅｎｔ  Ｂｌｕｅ  １５：３，Ｃ．Ｉ．Ｐｉｇｍｅｎｔ  Ｂｌｕｅ  １５：４，Ｃ．Ｉ．Ｐｉｇｍｅｎｔ  Ｂｌｕｅ  １５：３４，Ｃ．Ｉ．Ｐｉｇｍｅｎｔ  Ｂｌｕｅ  １６，Ｃ．Ｉ．Ｐｉｇｍｅｎｔ  Ｂｌｕｅ  ２２，Ｃ．Ｉ．Ｐｉｇｍｅｎｔ  Ｂｌｕｅ  ６０，Ｃ．Ｉ．Ｖａｔ  Ｂｌｕｅ  ４，およびＣ．Ｉ．Ｖａｔ  Ｂｌｕｅ  ６０が挙げられる。
【００２９】
インクジェットインクであるので、顔料の平均粒径は１０〜３００ｎｍ程度の範囲内であることが好ましい。さらに顔料の平均粒径は、１０〜２００ｎｍ程度の範囲内であることがより好ましい。
【００３０】
顔料の平均粒径は、動的光散乱法を用いた粒度分布計を用いて測定することができる。粒度分布計としては、例えば、ＨＰＰＳ（マルバーン社）が挙げられる。
【００３１】
顔料は、顔料分散体の状態で用いることができる。顔料分散体は、例えば、分散剤により水やアルコール中などに顔料を分散させて調製することができる。分散剤としては、例えば、界面活性剤、水溶性樹脂、および非水溶性樹脂などが挙げられる。あるいは、分散剤を使用せずに、水等に分散可能な自己分散顔料の形態として用いてもよい。自己分散顔料の形態とは、分散剤なしに水等に分散可能な顔料であり、顔料に表面処理を施して、カルボニル基、カルボキシル基、ヒドロキシル基、およびスルホン基の少なくとも一種の官能基またはその塩を結合させた顔料である。表面処理としては、例えば、真空プラズマ処理、ジアゾカップリング処理、および酸化処理等が挙げられる。こうした表面処理により官能基または官能基を含んだ分子を顔料の表面にグラフトさせることによって、自己分散顔料が得られる。
【００３２】
エタノールやプロパノールなどの炭素数３以下の１価の脂肪族アルコールは、水性液体および油性液体の両方に可溶であり、分散媒の相分離を抑制する。したがって、こうした１価の脂肪族アルコールに顔料が分散された場合には、インクの保存安定性を高めることができる。
【００３３】
インク中における顔料の含有量は、インク全量の２〜２０ｗｔ％の範囲が好ましい。この範囲内であれば、インクの保存性や吐出性能に関して不都合を伴なうことなく、必要な画像濃度を有する印刷物を形成することができる。インク中における顔料の含有量は、３〜１０ｗｔ％の範囲がより好ましい。
【００３４】
顔料分散体と、所定の混合液からなる分散媒とを配合することによって、本実施形態にかかるインクジェットインクが得られる。分散媒は、それぞれ所定の量で配合された水性液体および油性液体と、これら双方に可溶な特定の２価アルコールとを含む。分散媒は、水性液体と油性液体との可溶化液ということができる。こうした分散媒が用いられるので、本実施形態のインクは、水性インクの利点と油性インクの利点とを有している。すなわち、紙媒体へのインクの浸透は、水性インクより迅速となって油性インクのレベルに近づけることできる。紙媒体からのインクの乾燥も同様に、水性インクよりも迅速となって油性インクのレベルに近づけることできる。カールやコックリングなどの紙媒体へ与える影響は、水性インクを用いた場合よりも低減される。しかも、水性インク並みの高品質の画像を形成することができる。
【００３５】
本実施形態のインクにおいて、水性液体の含有量は、インク全量の１０〜７０ｗｔ％に規定される。水性液体の含有量が１０ｗｔ％未満の場合には、油性液体の作用が大きくなりすぎて、紙媒体へのインクの浸透を抑制するのが難しくなる。水性液体の含有量が７０ｗｔ％を超えると、得られる画像の品質は高められるものの、所望の浸透力を確保することができない。インクの浸透による乾燥も遅くなる。
【００３６】
水性液体の少なくも４０ｗｔ％は、水であることが望まれる。水性液体の全量が水の場合には、顔料の分散安定性に及ぼす影響がより小さくなるので、インク保存安定性が高められる。
【００３７】
水性液体の含有量は、紙媒体の変形の程度との関連が大きく、水自体は紙媒体の変形を生じさせる。紙中へ浸透する水性液体の量が多いと、紙媒体の変形も大きくなる。これを避けるためにも、インク中における水性液体の含有量は、７０ｗｔ％以下に規定される。水性液体は、インク全量の２０〜４０ｗｔ％であることが好ましい。
【００３８】
水性液体は、水溶性化合物を含むことができる。この場合には、インクの粘度を調整し、保存性、保湿性が高められるといった利点が得られる。インクの吐出安定性も、よりいっそう高められる。
【００３９】
水溶性化合物としては、例えば、グリセリン、ジグリセリン、ポリグリセリン、１，２，６−ヘキサントリオール、１，２，４−ブタントリオール、１，２，３−ブタントリオール、３−メチルー１，３，５−ペンタントリオール、ソルビトール、マンニトール、およびマルチトールなどが挙げられる。
【００４０】
本実施形態のインクにおいて、油性液体の含有量は、インク全量の７０〜１０ｗｔ％に規定される。油性液体の含有量が７０ｗｔ％を超えると、得られる画像の品質が劣化する。一方、油性液体の含有量が１０ｗｔ％未満の場合には、水性液体の作用が大きくなって速乾性が低下する。また、紙媒体の変形も生じやすくなる。油性液体の含有量は、インク全量の６０〜２０ｗｔ％が好ましい。
【００４１】
油性液体の少なくとも一部は、下記一般式（ＡＡ）で表わされる芳香族アルコールである。
【化３】
2011046944.tif 000004
【００４２】
ここで、Ｒaは炭素数１〜５の脂肪族炭化水素基、Ｒbは−Ｏ−または−ＣＨ2Ｏ−であり、ｋは０または１である。
【００４３】
炭化水素基Ｒaとしては、例えば、−ＣＨ2−、−（ＣＨ2）2−、−（ＣＨ2）3−、−（ＣＨ2）4−、−ＣＨ(ＣＨ3)ＣＨ2−、および−ＣＨ2ＣＨ(ＣＨ3)−等が挙げられる。
【００４４】
より具体的には、一般式（ＡＡ）で表わされる化合物としては、例えば、ベンジルアルコール（Ｃａｓ．１００−５１−６）、２−フェニルエチルアルコール（Ｃａｓ．６０−１２−８）、３−フェニル−１−プロパノール（Ｃａｓ．１２２−９７−４）、４−フェニル−１−ブタノール（Ｃａｓ．３３６０−４１−６）、２−フェニル−１−プロパノール（Ｃａｓ．１１２３−８５−９）、１−フェニル−２−プロパノール（Ｃａｓ．１４８９８−８７−４）、フェノキシエタノール（Ｃａｓ．１２２−９９−６）、フェノキシプロパノール（Ｃａｓ．７７０−３５−４、Ｃａｓ．４１６９−０４−４）、フェニルジグリコール（Ｃａｓ．１０４−６８−７）、およびベンジルグリコール（Ｃａｓ．６２２−０８−２）などが挙げられる。
【００４５】
インクの保存安定性および吐出性能を考慮すると、特に好ましいのは、ベンジルアルコール（Ｒa：−ＣＨ2−、ｋ＝０）、フェニルグリコール（Ｒa：−（ＣＨ2）2−、Ｒb：−Ｏ−）、フェノキシプロパノール（Ｒa：−ＣＨ(ＣＨ3)ＣＨ2−、Ｒb：−Ｏ−）、フェニルプロピレングリコール（Ｒa：−ＣＨ2ＣＨ(ＣＨ3)−、Ｒb：−Ｏ−）、およびベンジルグリコール（Ｒa：−（ＣＨ2）2−、Ｒb：−ＣＨ2Ｏ−）である。
【００４６】
上述したような芳香族アルコールは、油性液体の少なくとも７０ｗｔ％を占めることが好ましい。油性液体が紙中に残った場合には、にじみや光沢感が生じて印刷品質が低下する。前述の芳香族アルコールは紙中に残りにくいので、油性液体の全量が前述の芳香族アルコールの場合には、印刷品質を高めることができる。
【００４７】
油性液体は、以下のような非水溶性有機溶媒を含んでもよい。例えば、ヘキシルグリコール、２−エチルヘキシルグリコール、２−エチルヘキシルジグリコール、ジブチルジグリコール、ｎ−ノナノール、ｎ−ヘキサノール、ｎ−ヘプタノール、アジピン酸ジエチル、パルミチン酸エチルヘキシル、ミリスチン酸イソセチル、およびプロピオン酸ベンジルなどである。さらに、パラフィン系オイル、ナフテン系オイル、スピンドル油、およびマシン油などの鉱物油；アマニ油、ヒマシ油、大豆油、およびキリ油などの植物油；炭素数３０以下の炭化水素なども挙げられる。
【００４８】
油性液体の３０ｗｔ％以下であれば、こうした非水溶性有機溶媒が含まれても、得られるインクの特性は何等損なわれることはない。例えば、ナフテン系オイルが油性液体の２０ｗｔ％程度を占める場合には、浸透乾燥性のさらなる向上といった効果が得られる。
【００４９】
本実施形態のインクには、上述の水性液体および油性液体のいずれにも可溶な特定の２価アルコールが含有される。この２価アルコールは、本来混合されない水性液体と油性液体とを可溶化する可溶化剤と称することができる。
【００５０】
２価アルコールは、下記一般式（ＤＡ）で表わされる化合物、下記一般式（ＥＯ）で表わされる化合物、および下記一般式（ＰＯ）で表わされる化合物から選択される。
【化４】
2011046944.tif 000005
【００５１】
Ｒｃは炭素数３〜６のアルキレン基（−ＣjH2j−）であり、例えば、−(ＣＨ2)3−，−ＣＨ2ＣＨ(ＣＨ3)−，−(ＣＨ2)4−，−ＣＨ2ＣＨ(ＣＨ3)ＣＨ2−、−(ＣＨ2)5−，−(ＣＨ2)2ＣＨ(ＣＨ3)ＣＨ2−，−ＣＨ2ＣＨ(Ｃ2Ｈ5)ＣＨ2−、−ＣＨ2Ｃ(ＣＨ3)2ＣＨ2−，−(ＣＨ2)6−，−(ＣＨ2)3ＣＨ(ＣＨ3)ＣＨ2−、−(ＣＨ2)2ＣＨ(ＣＨ3)(ＣＨ2)2−，−(ＣＨ2)2ＣＨ(Ｃ2Ｈ5)ＣＨ2−、−(ＣＨ2)2Ｃ(ＣＨ3)2ＣＨ2−、および−ＣＨ2（ＣＨ3）Ｃ(Ｃ2Ｈ5)ＣＨ2−等が挙げられる。ｎは１〜１０、ｍは２〜５である。
【００５２】
上記一般式（ＤＡ）で表わされる化合物としては、具体的には、１，３−プロパンジオール、プロピレングリコール、１，２−ブタンジオール、１，３−ブタンジオール、２，３−ブタンジオール、１，４−ブタンジオール、１，２−ペンタンジオール、１，５−ペンタンジオール、１，４−ペンタンジオール、２，４−ペンタンジオール、１，６−ヘキサンジオール、１，２−ヘキサンジオール、２，５−ヘキサンジオール、２−メチルペンタン−２，４−ジオール、２−メチル−２−プロピル−１，３−プロパンジオール、２−エチル−２−メチル−１，３−プロパンジオール、３−メチル−１，５−ペンタンジオール、ネオペンチルグリコール、およびイソプレングリコールなどが挙げられる。
【００５３】
上記一般式（ＥＯ）で表わされる化合物としては、具体的には、エチレングリコール、ジエチレングリコール、トリエチレングリコール、テトラエチレングリコールおよびポリエチレングリコールなどが挙げられる。
【００５４】
上記一般式（ＰＯ）で表わされる化合物としては、具体的には、ジプロピレングリコール、トリプロピレングリコール、およびポリプロピレングリコールなどが挙げられる。
【００５５】
２価アルコールは、インクジェットインク全量の１０〜５０ｗｔ％で含有されていれば、何等不都合を伴なうことなく効果を発揮することができる。２価アルコールの量は、インク全量の２０〜５０ｗｔ％より好ましい。
【００５６】
前記２価アルコールは、２０℃における蒸気圧が２０ｍｍＨｇ未満である。このため、高い再現性をもって、インクジェットヘッドから吐出させることができる。すなわち、一定時間放置した後でも、吐出性能は安定している。
【００５７】
本実施形態のインクにおいては、水性液体と油性液体とが分散媒に含まれる。水性液体と油性液体とは、紙中への浸透速度が異なる。具体的には、水性液体の浸透速度は遅く、油性液体は水性液体より速く浸透する。こうして、水性液体と油性液体とは紙中に浸透し始めると同時に分離し始める。水性液体と油性液体とが可溶化した状態の分散媒中では、顔料は安定して分散していたものの、水性液体と油性液体とが分離すると、インク中の顔料の分散安定性が低下する。水性液体と油性液体との相溶性が崩れるので、自ずと顔料の凝集が進むようになる。その結果、紙中への顔料の浸透が抑制される。
【００５８】
顔料が紙の表面近傍近に留まることから、得られる画像の濃度は油性インクを用いた場合より高められる。油性液体が分散媒の一部として含まれることによって、インク中の水性液体の含有量は、一般的な水性インクよりも低減される。その結果、カールやコックリングなど紙媒体に与える影響も抑制することが可能となった。
【００５９】
またさらに、油性液体はそれ自体の表面張力が低いことから、インクの表面張力が低下する。油性液体を含まない水性インクでは、表面張力を抑制するために、界面活性剤を添加しなければならなかった。水性液体とともに油性液体が含有されることによって、必ずしも界面活性剤を配合する必要がなく、処方が簡素化された。
【００６０】
本実施形態にかかるインクジェットインクは、所定の量の水性液体および油性液体を、可溶化剤および顔料分散体と混合して、調製することができる。得られた混合物に、必要に応じて添加剤を加えて、目的のインクジェットインクが得られる。
【００６１】
インクジェット記録用であるので、本実施形態にかかるインクは、インクジェットプリンターにおけるヘッドのノズルからの吐出に適切な粘度を有することが必要である。具体的には、２５℃における粘度が３〜５０ｍＰａ・ｓであることが好ましい。３０ｍＰａ・ｓ以下であれば、吐出動作時におけるヘッド制御温度を比較的低く設定できる。
【００６２】
インクジェットインクの吐出性能、保湿性、保存性および適正物性値など、最適な特性条件に調整するために、効果が損なわれない範囲で、界面活性剤、保湿剤、樹脂などを別途配合してもよい。
【００６３】
界面活性剤としては、例えば、ポリオキシエチレンアルキルエーテル、ポリオキシアルキレンアルキルエーテル、ポリオキシエチレン多環フェニルエーテル、ポリオキシアルキレン多環フェニルエーテル、およびグリセリン脂肪酸エステルなどが挙げられる。
【００６４】
さらに、アセチレングリコール系界面活性剤またはフッ素系界面活性剤を用いることもできる。アセチレングリコール系界面活性剤としては、例えば２，４，７，９−テトラメチル−５−デシン−４，７−ジオール、３，６−ジメチル−４−オクチンー３，６−ジオール、および３，５−ジメチル−１−ヘキシン−３−オール等が挙げられる。具体的には、サーフィノール１０４、６１、４６５、４８５あるいはＴＧ等（エアープロダクツ社製）である。
【００６５】
フッ素系界面活性剤としては、例えばパーフルオロアルキルエチレンオキシド付加物、パーフルオロアルキルアミンオキシド、パーフルオロアルキルカルボン酸塩、およびパーフルオロアルキルスルホン酸等が挙げられる。具体的にはメガファックＦ−４４３、Ｆ−４４４、Ｆ−４７０、Ｆ−４９４（大日本インキ化学工業社）、ノベックＦＣ−４３０、ＦＣ−４４３０（３Ｍ社）、サーフロンＳ−１４１、Ｓ−１４５、Ｓ−１１１Ｎ、Ｓ−１１３（セイミケミカル社）である。
【００６６】
これらの界面活性剤は、インクの分散安定性などを劣化させない程度に添加することが望まれる。界面活性剤は、インク全量の１．０ｗｔ％程度以下の重量で含有されていれば、何等不都合を伴なわずに効果を発揮することができる。
【００６７】
必要に応じて、ｐＨ調整剤、防腐剤・防かび剤等の添加剤を配合することができる。ｐＨ調整剤としては、例えば、リン酸二水素カリウム、リン酸水素二ナトリウム、および水酸化ナトリウム等が挙げられる。
【００６８】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、および１，２−ジベンズイソチアゾリン−３−オン（ＩＣＩ社のプロキセルＣＲＬ、プロキセルＢＤＮ、プロキセルＧＸＬ、プロキセルＸＬ−２、プロキセルＴＮ）などを使用することができる。
【００６９】
こうした添加剤を配合することによって、印字画像品質や保存安定性がさらに高められる。
【００７０】
以下に、インクの具体例を示す。
【００７１】
下記表１に示す水性液体、および下記表２に示す油性液体を用意した。
【表１】
2011046944.tif 000006
【００７２】
【表２】
2011046944.tif 000007
【００７３】
上記表２に示した化合物のうち、ＯＬ１、ＯＬ２、ＯＬ３およびＯＬ４は、一般式（ＡＡ）で表わされる芳香族アルコールである。
【００７４】
水性液体および油性液体に可溶な２価アルコール（可溶化剤）としては、下記表３に示す化合物を準備した。
【表３】
2011046944.tif 000008
【００７５】
ここで、ＳＡ１、ＳＡ２、およびＳＡ３は、いずれも一般式（ＤＡ）で表わされる化合物である。ＴＰＧはトリプロピレングリコールの略称であり、一般式（ＰＯ）におけるｍが３の化合物である。ＰＥＧはポリエチレングリコールの略称であり、一般式（ＥＯ）におけるｎが約５の化合物（ＰＥＧ２００）を用いた。
【００７６】
下記表４および５に示す処方で各成分をそれぞれ配合して、インクサンプルを調整した。表中、水性液体、油性液体および可溶化剤の量は、インク全量に対するｗｔ％である。
【００７７】
顔料としては、樹脂分散型（ＤＤ１）および自己分散型（ＤＤ２）の２種類の顔料分散体を用意した。
【００７８】
ＤＤ１：カーボンブラック分散液ＭｉｃｒｏｐｉｇｍｏＡＭＢＫ−８
（オリヱント化学工業社製）
ＤＤ２：カーボンブラック分散液ＣＡＢ−ＪＥＴ−４００
（キャボット社製）
ＤＤ１においては、所定の顔料が所定の量の分散剤等とともにエタノール中に分散されている。ＤＤ２においては、所定の顔料が水中に分散されている。ＤＤ１は、次のような手法によりエタノールをベンジルアルコールまたは１，２−ヘキサンジオールで置換して、ＤＤ１加工液として用いた。ＤＤ１加工液の調製にあたっては、まず、含まれるエタノールと同量のベンジルアルコールを加えて混合液を得た。エバポレータを用いてエタノールを留去して、ベンジルアルコールを分散媒としたＤＤ１加工液（１）を得た。１，２−ヘキサンジオールの場合も、同様の手法によりエタノールを留去してＤＤ１加工液（２）を得た。
【００７９】
ＤＤ１加工液（１）に含まれるベンジルアルコールの量は、下記表中の油性液体（ＯＬ４）の量に含まれており、ＤＤ１加工液（２）に含まれる１，２−ヘキサンジオールの量は、下記表中の可溶化剤（ＳＡ２）の量に含まれている。また、ＤＤ２に含まれる水の量は、下記表中の水性液体（Ｗ１）の量に含まれている。
【００８０】
Ｎｏ．７〜１０，１３，１４，１８，２４〜２９ではＤＤ２を用いた。Ｎｏ．２１〜２３，３０，３１ではＤＤ１加工液（１）を用い、残りのサンプルでは、ＤＤ１加工液（２）を用いた。下記表に示されるように、いずれのサンプルにおいても、顔料の量がインク全量の５ｗｔ％となる量で顔料分散体を配合した。
【００８１】
表には示していないが、全てのサンプルには、防腐剤としてプロキセルＸＬ−２（Ｓ）をインク全量の０．２ｗｔ％添加した、
インクサンプルの調製にあたっては、まず、それぞれの処方で各成分を混合し、スターラーで１時間攪拌した。その後、３μｍのメンブレンフィルターでろ過して、サンプルを得た。
【表４】
2011046944.tif 000009
【００８２】
上記表４に示されるサンプルのうち、Ｎｏ．１４は水性液体の含有量が多く、Ｎｏ．１５は、水性液体の量が少ない。Ｎｏ．１７は、水性液体の量が少なく、油性液体の量が多い。また、Ｎｏ．１８は、油性液体の量が少ない。
【表５】
2011046944.tif 000010
【００８３】
上記表５に示したサンプルのうち、Ｎｏ．３０および３１における油性液体には、一般式（ＡＡ）で表わされる芳香族アルコールが含有されていない。
【００８４】
さらに、顔料分散体としてＤＤ２を用い、下記表６に示す処方でＮｏ．３４，３５のサンプルを調製した。
【表６】
2011046944.tif 000011
【００８５】
用いたアルコールを、構造式とともに下記表７に示す。
【表７】
2011046944.tif 000012
【００８６】
上記表７に示されるように、これらは、前記一般式（ＤＡ）、（ＥＯ）、および（ＰＯ）のいずれにも該当しない。
【００８７】
得られたインクサンプルを用いて普通紙に印字を行なって、インクの速乾性、用紙の変形抑制能、および印刷品質を調べた。普通紙として東芝コピーペーパー紙を用意し、記録装置としては、東芝テックピエゾヘッドＣＢ１を搭載したインクジェット記録装置を用いた。
【００８８】
評価方法は、それぞれ以下のとおりである。
【００８９】
（インクの速乾性）
まず、普通紙の１０ｍｍ×１０ｍｍの領域に、１００％ｄｕｔｙでベタ印刷を行なった。所定の時間放置した後、印刷部分に新品の同普通紙を積層し、３００ｇの重りを載置した。１０秒経過後、積層された普通紙を剥離して、インクサンプルが付着しているかどうかを確認した。
【００９０】
ベタ印刷後、新品の普通紙を積層するまでの時間は、５秒後、１０秒後、および３０秒後とした。それぞれにおけるインク付着を目視により調べて、以下の基準にしたがって判定した。
【００９１】
Ａ：５秒後で付着なし
Ｂ：５秒後で付着あり、１０秒後で付着なし
Ｃ：１０秒後で付着あり、３０秒後で付着なし
（用紙の変形抑制能）
速乾性試験と同様にして、普通紙の１０ｍｍ×１００ｍｍの領域に１００％ｄｕｔｙでベタ印刷を行ない、印字サンプルを得た。レーザー変位計により用紙変形の程度（紙の波打ちの大きさ：コックリング量）を求め、凹凸の量（長さ）で以下のように評価した。
【００９２】
Ａ：０．５ｍｍ未満
Ｂ：１．０ｍｍ未満
Ｃ：２．０ｍｍ未満
Ｄ：２．０ｍｍ以上
（印刷品質）
前述の普通紙に文字印刷およびベタ画像印刷を行なって、印刷品質を評価した。印刷された文字を目視により、にじみやフェザリングを判断した。また、Ｘ−Ｒｉｔｅ画像濃度測定器を用いてベタ印字画像濃度を調べ、表と裏の印刷画像濃度を調べた。その結果を、以下の基準にしたがって評価した。
【００９３】
Ａ：画像濃度１．２５以上、裏の画像濃度０．２以下、文字画像良好
Ｂ：画像濃度１．２以上、裏の画像濃度０．３以下、文字画像ほとんどにじみなし
Ｃ：画像濃度１．１以下、裏の画像濃度０．４以下、文字画像にじみあり
さらに、以下の手法により目詰まり耐性を調べた。まず、各インクサンプルを用いて、上述のインクジェット記録装置により印刷を行なった。印刷後、キャップでノズル孔を塞き、２５℃の環境下に１週間放置した。放置後、再度印刷試験を行なって、吐出の安定性により目詰まり耐性を評価した。吐出性が回復するまでに要したクリーニング動作の回数を調べ、以下の基準で判断した。
【００９４】
Ａ：０回
Ｂ：１または２回
Ｃ：３〜５回
目詰まり耐性は、分散媒中における顔料の分散安定性の指標となる。水性液体と油性液体とが良好に可溶化された分散媒であれば、顔料は安定して分散できるので、目詰まり耐性は良好となる。
【００９５】
インクの速乾性、用紙の変形抑制能、印刷品質、および目詰まり耐性の４つの評価は、いずれも“Ｂ”または“Ａ”が合格である。すなわち、１つでも“Ｃ”であれば、そのサンプルはＮＧである。得られた結果を下記表８および９にまとめる。
【表８】
2011046944.tif 000013
【００９６】
上記表８に示されるように、Ｎｏ．１〜１３，１６，１９，２０は、いずれもインクの速乾性、用紙の変形抑制能、印字品質、および目詰まり耐性において良好な結果が得られている。これらのサンプルは、油性液体として上記一般式（ＡＡ）で表わされる芳香族アルコール（ベンジルアルコール）を７０〜１０ｗｔ％含有し、特定の２価アルコールが可溶化剤として用いられている。しかも、水性液体の含有量は、１０〜７０ｗｔ％の範囲内であることから、評価した４項目は全て良好な結果となっている。
【００９７】
水性液体が水溶性化合物を含む場合には、速乾性および目詰まり耐性がより良好となることがＮｏ．３，４に示されている。Ｎｏ．５に示されるように、特定の２種類の可溶化剤が含有された場合には、インクの速乾性および用紙の変形抑制能がよりいっそう良好となる。
【００９８】
可溶化剤としてジオールおよびＴＰＧが含有される場合には、インクの速乾性、用紙の変形抑制能、および目詰まり耐性がよりいっそう高められることがＮｏ．１１，１２に示されている。Ｎｏ．１９，２０に示されるように、可溶化剤としてジオールおよびＰＥＧが含有される場合も、同様の結果が得られる。
【００９９】
可溶化剤の少なくとも１０ｗｔ％が、ＴＰＧまたはＰＥＧである場合には、得られるインクの特性がよりいっそう高められることが確認された。
【０１００】
Ｎｏ．１４では、水性液体が７５ｗｔ％と多いため用紙の変形抑制能が劣っている。水性液体が５ｗｔ％と少ないＮｏ．１５では印刷品質が悪く、所望の画像濃度が得られない。また、普通紙の裏にインクが抜ける割合が大きく、裏面での画像濃度も大きくなってしまう。水性液体の量が少なすぎ、インクの浸透を抑制する作用が不十分なためであると推測される。水性液体が７ｗｔ％と少なく、油性液体が７９ｗｔ％と多いＮｏ．１７も、同様に印字品質が劣っている。油性液体の量が５ｗｔ％と少ないＮｏ．１８の場合には、水性液体の作用が強くなって速乾性が低下する。
【表９】
2011046944.tif 000014
【０１０１】
上記表９に示されるように、Ｎｏ．２１〜２９，３２，および３３は、いずれもインクの速乾性、用紙の変形抑制能、印字品質、および目詰まり耐性において良好な結果が得られている。これらのサンプルは、油性液体として上記一般式（ＡＡ）で表わされる芳香族アルコール（ベンジルグリコール、フェニルプロピレングリコール，フェニルグリコール、ベンジルアルコール）を１０〜７０ｗｔ％含有し、可溶化剤として特定の２価アルコールが用いられている。しかも、１０〜７０ｗｔ％の水性液体が含有されているので、評価した４項目は全て良好な結果である。
【０１０２】
Ｎｏ．３０，３１においては、油性液体として一般式（ＡＡ）で表わされる芳香族アルコールが含有されていない。油性液体は、鉱物油や大豆油といった揮発性の低い成分であるため、印刷品質が低下している。
【０１０３】
一般式（ＡＡ）で表わされる芳香族アルコールが含有されていれば、油性液体の３０ｗｔ％以下が鉱物油等であっても、特性が損なわれることはない。Ｎｏ．３２、３３に示されるように、インクの速乾性、用紙の変形抑制能、印字品質、および目詰まり耐性の全てにおいて、良好な結果が得られた。
【０１０４】
Ｎｏ．３４、３５においては、油性液体として一般式（ＡＡ）で表わされる芳香族アルコールが用いられているものの、可溶化剤としての特定の２価アルコールが含有されていない。目詰まり耐性がＮＧであることから、顔料の分散特性が低下していることがわかる。特定の２価アルコールが含有されなければ、水性液体と油性液体とが良好に可溶化されないことが確認された。
【０１０５】
一般式（ＡＡ）で表わされる芳香族アルコールを水性液体と可溶化するためには、特定の２価アルコールが必要である。こうした成分を含有する本実施形態のインクジェットインクは、目詰まり耐性が優れている。しかも、インクの速乾性および用紙の変形抑制能が高いのに加え、印刷品質も良好な印刷物を形成することができる。
【０１０６】
本実施形態のインクジェットインクは、顔料が安定に分散され速乾性に優れるとともに、紙媒体の変形を引き起こさずに紙媒体に高品質な画像を形成することが可能である。
【０１０７】
また、本実施形態のインクジェット記録方法により、顔料の分散安定性および速乾性に優れたインクジェットインクを用いて、紙媒体を変形させることなく高品質な画像を形成することができる。
【符号の説明】
【０１０８】
ｐ…用紙；  １００…用紙カセット；  １０１…用紙カセット；  １０２…給紙ローラ
１０３…給紙ローラ；  １０４…搬送ローラ対；  １０５…搬送ローラ対
１０６…レジストローラ対；  １０７…搬送ベルト；  １０８…駆動ローラ
１０９…従動ローラ；  １１０…ファン；  １１１…負圧チャンバ
１１２…搬送ローラ対；  １１３…搬送ローラ対；  １１４…搬送ローラ対
１１５Ｃ，１１５Ｍ，１１５Ｙ，１１５Ｂｋ…インクジェットヘッド
１１６Ｃ，１１６Ｍ，１１６Ｙ，１１６Ｂｋ…インクカートリッジ
１１７…チューブ；  １１８…排紙トレイ。
【図１】
2011046944.tif 000018